【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
遊技機であって、
始動センサと、
前記遊技機の遊技動作を制御するメイン制御手段と、
表示手段と、
前記表示手段による表示を制御する表示制御手段と、
を備え、
前記メイン制御手段は、
前記始動センサの検出に起因して、遊技者に特典が付与されるか否かを判別する判別手段と、
前記判別の結果に基づく情報を含むコマンドを前記表示制御手段に送信するコマンド送信手段と、
を有し、
前記表示制御手段は、
前記コマンドを受信するコマンド受信手段と、
受信した前記コマンドに基づいて、前記表示手段の第１図柄表示領域と第２図柄表示領域と第３図柄表示領域とのそれぞれに表示される図柄の変動表示および停止表示を前記表示手段に実行させて、前記各図柄表示領域に停止表示された図柄によって前記特典が付与されるか否かを遊技者に報知する図柄制御手段と、
前記第３図柄表示領域に図柄が停止表示されるよりも前に、前記第３図柄表示領域に停止表示される図柄の候補を前記表示手段に表示させる候補制御手段と、
を有し、
前記表示制御手段は、前記判別の結果により前記特典が付与される場合に実現される前記表示手段の制御のパターンとして、
（Ａ）前記図柄制御手段が、前記第１図柄表示領域と前記第２図柄表示領域と前記第３図柄表示領域とのそれぞれの図柄の変動表示を前記表示手段に開始させる処理と、
（Ｂ）前記変動表示の開始よりも後に、前記図柄制御手段が、前記第３図柄表示領域の図柄の停止表示をせずに前記第１図柄表示領域と前記第２図柄表示領域とのそれぞれの図柄の停止表示を前記表示手段に行わせてリーチを形成する処理と、
（Ｃ）前記図柄制御手段による前記リーチの形成よりも後に、前記候補制御手段が、前記第３図柄表示領域に停止表示される図柄の候補を表す候補情報として、前記第１図柄表示領域に停止表示された図柄と前記第２図柄表示領域に停止表示された図柄とに組み合わされた場合に前記特典が付与されることを表す特定の図柄を含む複数種類の図柄のそれぞれを表す情報を、前記表示手段に表示させる処理と、
（Ｄ）前記特定の図柄を含む前記複数種類の図柄を表す前記候補情報の表示よりも後に、前記候補制御手段が、前記表示手段に表示されている前記候補情報に含まれる複数の図柄のうちの前記特定の図柄とは異なる一部の図柄を前記候補から外して、前記候補から外れた前記一部の図柄を表す情報を前記表示手段に表示されている前記候補情報から消去する処理と、
（Ｅ）前記特定の図柄とは異なる前記一部の図柄を表す情報の消去よりも後に、前記候補制御手段が、前記表示手段に表示されている前記候補情報に含まれる複数の図柄のうちの１以上の前記特定の図柄を前記候補に残して、他の図柄を前記候補から外して、前記候補から外れた前記他の図柄を表す情報を前記表示手段に表示されている前記候補情報から消去する処理と、
（Ｆ）前記候補制御手段による前記他の図柄を表す情報の消去よりも後に、前記図柄制御手段が、前記第３図柄表示領域に前記特定の図柄を停止表示させることによって、前記判別の結果により前記特典が付与されることを遊技者に報知する処理と、
を含むパターンを有する、
遊技機。
【請求項２】
請求項１に記載の遊技機であって、
前記表示手段の制御の前記パターンにおいて、前記処理（Ｃ）よりも後に、前記処理（Ｅ）に先立って、前記候補制御手段は、前記処理（Ｄ）を複数回実行する、
遊技機。
【請求項３】
請求項１または請求項２に記載の遊技機であって、
前記変動表示および停止表示される図柄は、前記図柄を特定する数字を含む複数種類の図柄を含み、
前記候補制御手段は、前記候補情報として、前記候補に含まれている図柄を特定する数字を前記表示手段に表示させる、
遊技機。
【手続補正２】
【補正対象書類名】明細書
【補正対象項目名】０００６
【補正方法】変更
【補正の内容】
【０００６】
以下のような態様を採用可能である。遊技機であって、始動センサと、前記遊技機の遊技動作を制御するメイン制御手段と、表示手段と、前記表示手段による表示を制御する表示制御手段と、を備え、前記メイン制御手段は、前記始動センサの検出に起因して、遊技者に特典が付与されるか否かを判別する判別手段と、前記判別の結果に基づく情報を含むコマンドを前記表示制御手段に送信するコマンド送信手段と、を有し、前記表示制御手段は、前記コマンドを受信するコマンド受信手段と、受信した前記コマンドに基づいて、前記表示手段の第１図柄表示領域と第２図柄表示領域と第３図柄表示領域とのそれぞれに表示される図柄の変動表示および停止表示を前記表示手段に実行させて、前記各図柄表示領域に停止表示された図柄によって前記特典が付与されるか否かを遊技者に報知する図柄制御手段と、前記第３図柄表示領域に図柄が停止表示されるよりも前に、前記第３図柄表示領域に停止表示される図柄の候補を前記表示手段に表示させる候補制御手段と、を有し、前記表示制御手段は、前記判別の結果により前記特典が付与される場合に実現される前記表示手段の制御のパターンとして、（Ａ）前記図柄制御手段が、前記第１図柄表示領域と前記第２図柄表示領域と前記第３図柄表示領域とのそれぞれの図柄の変動表示を前記表示手段に開始させる処理と、（Ｂ）前記変動表示の開始よりも後に、前記図柄制御手段が、前記第３図柄表示領域の図柄の停止表示をせずに前記第１図柄表示領域と前記第２図柄表示領域とのそれぞれの図柄の停止表示を前記表示手段に行わせてリーチを形成する処理と、（Ｃ）前記図柄制御手段による前記リーチの形成よりも後に、前記候補制御手段が、前記第３図柄表示領域に停止表示される図柄の候補を表す候補情報として、前記第１図柄表示領域に停止表示された図柄と前記第２図柄表示領域に停止表示された図柄とに組み合わされた場合に前記特典が付与されることを表す特定の図柄を含む複数種類の図柄のそれぞれを表す情報を、前記表示手段に表示させる処理と、（Ｄ）前記特定の図柄を含む前記複数種類の図柄を表す前記候補情報の表示よりも後に、前記候補制御手段が、前記表示手段に表示されている前記候補情報に含まれる複数の図柄のうちの前記特定の図柄とは異なる一部の図柄を前記候補から外して、前記候補から外れた前記一部の図柄を表す情報を前記表示手段に表示されている前記候補情報から消去する処理と、（Ｅ）前記特定の図柄とは異なる前記一部の図柄を表す情報の消去よりも後に、前記候補制御手段が、前記表示手段に表示されている前記候補情報に含まれる複数の図柄のうちの１以上の前記特定の図柄を前記候補に残して、他の図柄を前記候補から外して、前記候補から外れた前記他の図柄を表す情報を前記表示手段に表示されている前記候補情報から消去する処理と、（Ｆ）前記候補制御手段による前記他の図柄を表す情報の消去よりも後に、前記図柄制御手段が、前記第３図柄表示領域に前記特定の図柄を停止表示させることによって、前記判別の結果により前記特典が付与されることを遊技者に報知する処理と、を含むパターンを有する、遊技機。
【手続補正３】
【補正対象書類名】明細書
【補正対象項目名】０００７
【補正方法】変更
【補正の内容】
【０００７】
態様１の遊技機は、図柄を変動表示する図柄表示装置を備え、その図柄表示装置に変動表示される図柄の変動停止時の表示態様によって遊技者に特典の付与の可否を認識させる遊技機である。前記図柄表示装置は、図柄を変動表示する図柄表示部と、その図柄表示部に変動表示される図柄に関し停止表示され得る停止可能図柄を表示する停止図柄表示部とを有する。そして、その停止図柄表示部は、複数の停止可能図柄が表示可能であり、その表示される各停止可能図柄は、前記図柄表示部に変動表示されている図柄の中から任意に選択される一の図柄とされている。上記遊技機では、図柄表示部に表示される図柄が変動する際、停止図柄表示部には、図柄表示部に変動表示される図柄の中から任意に選択される一の図柄を複数表示することができる。したがって、停止図柄表示部には同一図柄が複数表示される場合もあり、これによって、停止図柄表示部に表示される図柄が図柄表示部に停止図柄として表示される確率を緻密に表示（例えば、停止可能図柄が５つ表示された場合に、その中の３つの図柄を同一図柄として表示することで３／５という確率を表示）することが可能となる。したがって、停止図柄表示部の表示（確率）を多様化することができ、停止図柄表示部の表示（確率）が同一となる頻度を減らすことができる。よって、遊技者の飽きが防止され、遊技者の期待感を盛上げる効果を長時間維持することができる。
上記の遊技機においては、前記図柄表示部には複数の図柄列が変動表示されるとともに、それら各図柄列の変動停止時の図柄によって遊技者に特典の付与の可否を認識させ、前記停止図柄表示部には、それら複数の図柄列の中で最後に変動停止する図柄列に関する停止可能図柄が表示されることが好ましい（態様２）。ここで、「図柄列」とは、複数の図柄を並べることによって構成されるものをいう。また、「図柄列が変動表示される」とは、図柄列を構成する図柄が所定の方向に移動しながら表示されることをいう。ただし、図柄表示部に表示される図柄列は、その図柄列を構成する全ての図柄が表示される必要はなく、図柄列を構成する少なくとも１つの図柄が表示されればよい。上記遊技機では、図柄表示部に変動表示される図柄列の中で最後に停止する図柄列に関する停止可能図柄が停止図柄表示部に表示される。したがって、停止図柄表示部に表示される停止可能図柄によって、遊技者は図柄表示部に変動表示される全図柄列の変動停止時の表示態様（すなわち、特典が付与されるか否か）を予測することができ、遊技者の期待感を盛上げる効果をより発揮することができる。
【手続補正４】
【補正対象書類名】明細書
【補正対象項目名】０００８
【補正方法】変更
【補正の内容】
【０００８】
上記の各遊技機においては、前記図柄表示部に変動表示される図柄の変動開始から変動停止までの間に、前記停止図柄表示部に表示される停止可能図柄の数が増減することが好ましい（態様３）。上記遊技機では、図柄表示部に図柄が変動表示されている間に、停止図柄表示部に表示される停止可能図柄の数が増減し、図柄表示部に停止表示される図柄の確率が変化する。したがって、遊技者の期待感が変動表示の間に変化し、より面白みの高い遊技機となる。
【手続補正５】
【補正対象書類名】明細書
【補正対象項目名】０００９
【補正方法】変更
【補正の内容】
【０００９】
上述した各態様に記載の遊技機は、下記に示す形態で好適に実施することができる。
（形態１） 態様３に記載の遊技機においては、前記図柄表示部に変動表示される図柄の変動開始から変動停止までに、前記停止図柄表示部に表示される停止可能図柄の数が時間経過に伴って増加する。このような形態によれば、ハズレとなる図柄を停止可能図柄として追加表示することでハズレとなる確率を高く変化させる演出を行うことができ、また当たりとなる図柄を停止可能図柄として追加表示することで当たりとなる確率を高く変化させる演出を行うことができる。
（形態２） 形態１に記載の遊技機においては、前記図柄表示部には、図柄の変動開始から変動停止までの間に所定回数一時停止が行われ、その一時停止表示される一時停止図柄を前記停止図柄表示部に停止可能図柄として追加表示されても良い。このような形態によれば、図柄表示部の表示（一時停止）に連動して停止図柄表示部の表示が変化する。このため、図柄表示部の図柄変動をより効果的に盛上げることができる。
（形態３） 態様３に記載の遊技機においては、前記図柄表示部に変動表示される図柄の変動開始から変動停止までに、前記停止図柄表示部に表示される停止可能図柄の数が時間経過に伴って減少する。このような形態によれば、停止可能図柄として表示されているハズレとなる図柄を減らすことで当たりとなる確率を高く変化させる演出を行うことができ、また、停止可能図柄として表示されている当たりとなる図柄を減らすことで当たりとなる確率を低く変化させる演出を行うことができる。